(57)【特許請求の範囲】
【請求項１】
ウェブ型ストラップ（１２）の長さ調整及びロックするためのアジャスター装置（１）であって，
第１平面（Ａ）に延びている底枠（３）を有するベース（２）であって，少なくとも一つの縦方向に細長いスロット（４）を画定するベース（２）と；
第１軸（Ｃ）に沿って延びている第１ピン（７）を備えている操作ハンドル（６）であって，前記第１平面（Ａ）に平行であるピボット軸（Ｄ）を中心として前記ベース（２）に枢動可能に配置されているとともに，開放位置とロック位置との間で移動できる操作ハンドル（６）と；
前記ピボット軸（Ｄ）に平行である第２軸（Ｅ）に沿って延びている第２ピン（１１）であって，前記スロット（４）に係合し，第１端位置と第２端位置との間で摺動自在に移動できる第２ピン（１１）と，
を備えており，
ストラップ入口（１３）が，前記第２ピン（１１）と前記底枠（３）との間で，前記ストラップ入口（１３）の外側に自由第１ストラップ端（１２ａ）を有するストラップ（１２）が前記ストラップ入口（１３）を介して，次に前記第１ピン（７）の周囲に，次に前記底枠（３）と隣接して配置したストラップ出口（１４）を介して受容でき，それにより子供用拘束ハーネスに接続可能な第２ストラップ端（１２ｂ）が提供されるように画定され；そして
前記装置（１）は前記操作ハンドル（６）がその開放位置にあるとき，前記第２ピン（１１）が前記第１端位置と前記第２端位置との間の前記スロット（４）において自由に移動でき，前記操作ハンドル（６）がそのロック位置にあるとき，自由第１ストラップ端（１２ａ）を第１方向（Ｘ１）に引っ張ることによりストラップ（１２）をさらにロックしながら接触させたストラップ（１２ｃ）の部分により前記第２ピン（１１）を前記第１端位置まで強く押し，一方，第２ストラップ端の張力の増加により少なくとも部分的に接触させた前記ストラップ（１２ｃ）の部分の間の摩擦から拘束作用が生じるように構成されているものであることを特徴とする装置（１）。
【請求項２】
前記第１軸（Ｃ）と前記第２軸（Ｅ）が平行であるとともに第２平面（Ｂ）を画定し，前記装置（１）は前記操作ハンドル（６）がその開放位置にあるとき，前記第２平面（Ｂ）は前記第１平面（Ａ）に対して３０°以上の開放位置角度（α）を形成して前記ストラップ（１２）がいずれの方向にも自由に移動でき，そして前記操作ハンドル（６）がそのロック位置にあるとき，前記第２平面（Ｂ）が前記第１平面（Ａ）と３０°未満のロック位置角度（β）を形成するように構成されているものである，請求項１記載のアジャスター装置（１）。
【請求項３】
前記開放位置角度（α）が前記ロック位置角度（β）よりも少なくとも３０°大きい，請求項２記載のアジャスター装置（１）。
【請求項４】
前記操作ハンドル（６）がその開放位置にあるときには，前記第２平面（Ｂ）と前記第１平面（Ａ）との間で形成される前記開放位置角度（α）が縦方向に細長い前記スロット（４）の縦方向中心線と前記第１平面（Ａ）との間で形成される角度よりも大きい，請求項２又は３記載のアジャスター装置（１）。
【請求項５】
前記スロット（４）が前記第１平面（Ａ）に対して実質的に鉛直である方向に少なくとも部分的に延びている，請求項１〜４いずれか１項記載のアジャスター装置（１）。
【請求項６】
前記第１ピン（７）が前記第１軸（Ｃ）を中心として移動できるようになっている，請求項１〜５いずれか１項記載のアジャスター装置（１）。
【請求項７】
前記第１ピン（７）が前記第１軸（Ｃ）を中心としてロックされている，請求項１〜５いずれか１項記載のアジャスター装置（１）。
【請求項８】
前記第１ピン（７）が前記操作ハンドル（６）と一体である，請求項７記載のアジャスター装置（１）。
【請求項９】
前記第２ピン（１１）が前記第２軸（Ｅ）を中心として移動できるようになっている，請求項１〜８いずれか１項記載のアジャスター装置。
【請求項１０】
ストラップ出口（１４ａ）が前記底枠（３）における開口により提供され，前記ストラップ出口（１４ａ）を通って，前記第２ストラップ端（１２ｂ）が前記第１方向（Ｘ１）に実質的に垂直な第２方向（Ｙ）に通過できる，請求項１〜９いずれか１項記載のアジャスター装置（１）。
【請求項１１】
前記操作ハンドル（６）が前記ピボット軸（Ｄ）に沿って延びているピボットピン（１５）を含んでなる，請求項１〜１０いずれか１項記載のアジャスター装置（１）。
【請求項１２】
ストラップ出口（１４ｂ）が前記ピボットピン（１５）と前記底枠（３）との間に画定され，前記ストラップ出口（１４ｂ）を通って，前記第２ストラップ端（１２ｂ）を前記第１方向（Ｘ１）に対して実質的に反対方向である第３方向（Ｘ２）に通過させることができる，請求項１１記載のアジャスター装置。
【請求項１３】
前記ピボット軸（Ｄ）に平行な第３軸に沿って延びている第３ピン（１７）をさらに備えており，ストラップ出口（１４ｂ）が前記第３ピン（１７）と前記底枠（３）との間に画定され，前記第２ストラップ端（１２ｂ）を前記第１方向（Ｘ１）に対して実質的に反対方向である第３方向（Ｘ２）に前記ストラップ出口（１４ｂ）を通過させることができる，請求項１〜１１いずれか１項記載のアジャスター装置。
【請求項１４】
ガイド部材（１７’）をさらに備えており，ストラップ出口（１４ｂ）が前記ガイド部材（１７’）と前記底枠（３）との間に画定され，前記第２ストラップ端（１２ｂ）を前記第１方向（Ｘ１）に対して実質的に反対方向である第３方向（Ｘ２）に前記ストラップ出口（１４ｂ）を通過させることができる，請求項１〜１１いずれか１項記載のアジャスター装置。
【請求項１５】
前記操作ハンドル（６）を前記ベース（２）の方向に付勢するための付勢手段（１６）をさらに備えている，請求項１〜１４いずれか１項記載のアジャスター装置。
【請求項１６】
前記付勢手段（１６）が前記操作ハンドル（６）と前記ベース（２）に連結した少なくとも１個の引張ばね（１６）を備えている，請求項１５記載のアジャスター装置。
【請求項１７】
一体的に互いに接続された座席部（１９）と後部（２０）とを有するクッション付座席シェルと；
前記座席シェルに子供を拘束し，ロックするためのウェブ型ストラップ（２２，２３，２４）を備えている調整可能子供用拘束ハーネス（２１）であって，前記座席シェルに取り付けられた拘束ハーネスと；
前記子供用拘束ハーネス（２１）に接続可能なウェブ型ストラップ（１２）の長さとロックを調整するためのアジャスター装置（１）とを備え，それにより前記アジャスター装置（１）を操作することにより前記ハーネス（２１）の弛緩又はロックができるようになっている，子供用シート（１８）であって，前記アジャスター装置（１）は請求項１〜１６いずれか１項記載のアジャスター装置（１）であることを特徴とする子供用シート（１８）。
【発明の詳細な説明】
【技術分野】
【０００１】
本発明は，ウェブ型ストラップの長さ調整及びロックするためのアジャスター装置，特に子供用シートの一部分として子供用拘束ハーネスとともに使用されるアジャスター装置に関する。
【背景技術】
【０００２】
車及び他の車両に使用されるチャイルドシートは，典型的にはクッション付座席シェルと，座席シェルに子供を定位置に拘束するための調整可能拘束ハーネスとを備えている。拘束ハーネスは典型的には第１ウェブストラップ，第２ウェブストラップ及び第３ウェブストラップを備えており，これらは拘束ハーネスが適切に使用されたときに「Ｙ」字状を成す。第１ストラップと第２ストラップは，使用されるときに子供の肩の上に配置され，第３ストラップは子供の両脚の間に配置される。第１ストラップ及び第２ストラップは，一般的にバックルに開放可能に接続され，そのバックルには第３ストラップも付けられている。第３ストラップの他端は，一般的に座席に固着されている。第１ストラップ及び第２ストラップは，通常座席シェルの後部に設けられているスロットを通り，そしてブラケットに固定されるか，一緒に縫いつけられた後部の背面にある。
【０００３】
異なる大きさの子供又は厚着をしているか，あるいは厚着をしていない同じ子供でさえも，快適に固定するために，拘束ハーネスの長さを調整できることは重要である。このことは数多くの方法で行うことができることは当該技術分野において周知である。
【０００４】
一般的に，第４ストラップがシートの後部の背面の前記ブラケットに付けられている。別法として，第４ストラップが第１ストラップ及び第２ストラップに縫いつけられていてもよい。この第４ストラップは，座席部に形成されているスロットを介して前方に延びて配置されている。このストラップのロック又は弛緩を可能とするために，ストラップは通常アジャスター装置を通って延びる。このようなアジャスター装置は，中央（ウェブ又はストラップ）アジャスターとしばしば称される。ストラップアジャスターの操作による第４ストラップの弛緩又はロックにより，ハーネスの弛緩又はロック，より具体的には第１ストラップ及び第２ストラップ（ショルダーストラップ）が弛緩又はロックされる。
【０００５】
別法として，第３ストラップは，座席シェルの底に設けられた開口を通って引き出し，座席部の下を通してアジャスター装置に達するようにしてもよい。第３ストラップがアジャスター装置の操作によりロックされると，バックルが下方向に引っ張られ，その結果，第１ストラップと第２ストラップがロックされる。この構成は，今日では使用されることがめったにない。
【０００６】
この種のアジャスターは，通常，閉じたロック位置にあるとき，反対方向に自由ストラップ端を引っ張ることによりストラップがロックされることができる一方で，ストラップを係合し，一方向への移動を停止又は妨げるように構成される。アジャスターの重要な態様によれば，アジャスターが開放されない限り，ストラップがアジャスター装置を通って逆戻りするのを妨げられることである。
【０００７】
数多くの種類のウェブアジャスターが知られている。一般的に使用される種類のアジャスターは，リッジ付き表面を有する回転カムがウェブストラップを対向表面に押しつけることによりストラップをロック位置に固定するカムアジャスターである。カム型アジャスターの一例が，ＵＳ４６７９８５２に示されている。カム型アジャスターの欠点は，固定しながらウェブをつかむカムリッジにより，ウェブの磨耗と引き裂きが生じることである。
【０００８】
別の種類のアジャスターがＵＳ２００８／００５４６９１に示されている。このウェブアジャスターアセンブリーでは，第２プレートを第１プレートに対してヒンジ付勢して使用されており，ストラップが第１プレートの開口及び第２プレートの開口を通され，２つのプレートが実質的に互いを支えている状態のときに，摩擦により，ストラップがウェブアジャスターアセンブリーを通って逆戻りするのを防止している。
【０００９】
カムアジャスターと他のアジャスターの両方が当該技術分野において知られているが，上記した要件を満たす改善されたアジャスターが必要とされている。
【００１０】
発明の概要
本発明の目的は，上記した問題を軽減すること，及びウェブの磨耗及び引き裂きを生じさせず，滑りを防止し，使用し易いアジャスター装置を提供することである。特に，本発明によるアジャスター装置は，アジャスターが開いた開放位置にあるときに，ストラップが両方向にアジャスターを介して容易に引っ張られ，かつ，自由に移動でき，一方，アジャスターが閉じたロック位置にあるとき，ストラップを一方向のみに引っ張ることにより，まだ容易にロックされることができる状態で，ストラップはしっかりとロックされる（滑りの危険なく）ことができる。
【００１１】
本発明の第１の実施態様によると，ウェブ型ストラップの長さ調整及びロックするためのアジャスター装置，特に，子供用シートの一部分として子供用拘束ハーネスとともに使用されるアジャスター装置が提供される。本発明によるアジャスター装置，特に，本発明による子供用拘束ハーネスのアジャスター装置は，
第１平面に延びている底枠を有するベースであって，少なくとも一つの縦方向に細長いスロット，特に，少なくとも二つの離間した平行な縦方向に細長いスロットを画定するベースと；
第１軸に沿って延びている第１ピンを備えている操作ハンドルであって，第１平面に平行であるピボット軸を中心としてベースに枢動可能に配置されているとともに，開放位置とロック位置との間で移動できる操作ハンドルと；
ピボット軸に平行である第２軸に沿って延びている第２ピンであって，前記スロットに係合し，第１端位置と第２端位置との間で摺動自在に移動できる第２ピンと，
を備えており，
ストラップ入口が，前記第２ピンと前記底枠との間で，ストラップ入口の外側に自由第１ストラップ端を有するストラップがストラップ入口を介して，次に第１ピンの周囲に，次に前記底枠と隣接して配置したストラップ出口を介して受容でき，それにより子供用拘束ハーネスに接続可能な第２ストラップ端が提供されるように画定され；かつ，
前記装置は操作ハンドルがその開放位置にあるとき，第２ピンが前記第１端位置と前記第２端位置との間の前記スロットにおいて自由に移動でき，前記操作ハンドルがそのロック位置にあるとき，自由第１ストラップ端を第１方向に引っ張ることによりストラップをさらにロックしながら接触させたストラップの部分により第２ピンを前記第１端位置まで強く押し（すなわち，第２ピンが底枠に向かって下方に強く押される），一方，第２ストラップ端の張力の増加により少なくとも部分的に前記ストラップの部分の間の摩擦から拘束作用が生じるように構成されている。
【００１２】
本装置の特定の実施態様によれば，前記第１軸と前記第２軸が平行であるとともに第２平面を画定してもよく，前記装置は操作ハンドルがその開放位置にあるとき，第２平面は第１平面に対して開放位置角度（α）を形成してストラップがいずれの方向にも自由に移動でき，そして前記操作ハンドルがそのロック位置にあるとき，第２平面が前記第１平面とロック位置角度（β）を形成するように構成されているものであり，前記開放位置角度（α）が前記ロック位置角度（β）よりも少なくとも３０°超大きい。特に，前記開放位置角度（α）は，前記ロック位置角度（β）よりも大きい３０°〜８０°，例えば，３０°〜７０°又は４０°〜７０°又は５０°〜７０°又は３０°〜５０°の範囲であり得る。
【００１３】
本装置のさらに特定の実施態様によれば，前記第１軸と前記第２軸は平行であり，かつ，第２平面を画定してもよく，前記装置を操作ハンドルがその開放位置にあるとき，第２平面は第１面に対して３０°以上の角度，例えば，３０°〜９０°，４５°〜９０°，６０°〜９０°又は６０°〜８０°の範囲の角度であり，それによりストラップがどちらの方向にも自由に移動でき，そして操作ハンドルがそのロック位置にあるとき，第２平面は第１平面に対して３０°未満の角度，例えば，５〜２０°の角度であり，それによりストラップをしっかりとロックできるように構成してもよい。
【００１４】
より具体的には，開放位置角度（α）は３０°〜９０°，例えば，４５°〜９０°，６０°〜９０°，６０°〜８０°の範囲であることができ，ロック位置角度（β）は３０°未満，例えば，５°〜２０°であることができるが，但し，開放位置角度（α）はロック位置角度（β）よりも少なくとも３０°大きい。
【００１５】
本装置のさらなる実施態様によれば，前記スロットは前記第１平面に対して実質的に鉛直な方向に少なくとも部分的に延びていてもよい。
【００１６】
前記装置の特定の実施態様によれば，前記縦方向に細長いスロットは前記第１平面に対して実質的に鉛直な方向に延びていてもよく，操作ハンドルがその開放位置にあるときに第２平面と第１平面との間の角度は，縦方向に細長いスロット縦方向の中心線と第１平面との間の角度よりも大きいことが有利なことがある。
【００１７】
本発明の第２の態様によれば，上記で開示した本発明によるアジャスター装置を備えることで子供用拘束ハーネスの弛緩及びロックができる子供用シートが提供される。
【００１８】
本発明の他の特徴及び利点は，以下の本発明の説明から明らかになるであろう。
【図面の簡単な説明】
【００１９】
【図１ａ】本発明によるアジャスター装置の第１の実施態様であって，子供用拘束ハーネスに接続されるストラップ端が下方向Ｙに通される，第１の実施態様の断面図であり，開位置の装置を示す。
【図１ｂ】本発明によるアジャスター装置の第１の実施態様であって，子供用拘束ハーネスに接続されるストラップ端が下方向Ｙに通される，第１の実施態様の断面図であり，閉位置の装置を示す。
【図２ａ】図１ａ及び図１ｂに示すアジャスター装置の種々の部品をどのように組み立てるかを示す概略斜視図。
【図２ｂ】図１ａ及び図１ｂに示すアジャスター装置の種々の部品をどのように組み立てるかを示す概略斜視図。
【図３】本発明によるアジャスター装置のさらなる実施態様であって，子供用拘束ハーネスに接続されるストラップ端が下方向Ｙ又は逆方向Ｘ２に通過できる，さらなる実施態様の断面図。
【図４】本発明によるアジャスター装置のさらなる実施態様であって，子供用拘束ハーネスに接続されるストラップ端が下方向Ｙ又は逆方向Ｘ２に通過できる，さらなる実施態様の断面図。
【図５】本発明によるアジャスター装置のさらなる実施態様であって，子供用拘束ハーネスに接続されるストラップ端が下方向Ｙ又は逆方向Ｘ２に通過できる，さらなる実施態様の断面図。
【図６】本発明によるアジャスター装置の一実施態様であって，第２ピンが操作ハンドルと一体である一実施態様の断面図。
【図７】本発明によるアジャスター装置を備えた子供用シートの概略斜視図。
【００２０】
発明の詳細な説明
以下の本発明の具体的実施態様の説明は本発明の原理と顕著な特徴の理解のためであって，本願発明の範囲を限定するものではない。
【００２１】
図１に，本発明によるアジャスター装置１の第１の態様を示す。アジャスター装置１は第１平面Ａに延びている底枠３を有するベース２であって，少なくとも一つの縦方向に細長いスロット４を画定しているベース２を備えている。本実施態様によれば，前記スロット４は前記第１平面Ａに実質的に鉛直な方向に少なくとも部分的に延びており，より具体的には前記スロット４は前記平面Ａに実質的に鉛直な方向に延びている。
【００２２】
本実施態様によれば，底枠３は１つ以上の開口を備えている平面である。底枠は他の方法で構成してもよい。例えば，底枠は１つ以上のクロスバーから構成されていてもよい。さらに，底枠は第１平面に延びている第１プレートと，前記第１平面に平行な第２平面に延びている第２プレートとを備えている。
【００２３】
さらに，本実施形態では，ベース２は，前記底枠３から上方向に突出している一対の離間した平行な側板５を備えており，各側板５が，前記第１の面Ａに対して実質的に鉛直方向に延びている縦方向に細長いスロット４を有している。従って，本実施形態によれば，前記ベース２は，それぞれが前記第１平面Ａに実質的に鉛直方向に少なくとも部分的に延びている２つの縦方向に細長いスロット４を画定しており，より具体的には，前記ベース２は，それぞれが前記第１平面Ａに実質的に鉛直方向に延びている２つの縦方向に細長いスロット４を画定している。本実施形態では，前記縦方向に細長いスロット４は，間隔を空けて平行に配置されている。
【００２４】
底枠３及び上方向に突出している離間した平行な側板５はいずれの耐磨耗性材料から形成してもよい。例えば，この材料はガラス繊維強化ポリプロピレンなどのプラスチック材料，又はステンレススチールなどの金属材料であってもよい。
【００２５】
装置１は，さらに第１軸Ｃ（図２ａ参照）に沿って延びている第１ピン７を備えている操作ハンドル６を備えており，前記操作ハンドル６は前記第１平面Ａに平行であるピボット軸Ｄ（図２ａ参照）を中心に枢動するベース２に関連して配置されており，そして前記操作ハンドル６は開いた開放位置（図１ａに示す）と閉鎖ロック位置（図１ｂに示す）との間で移動可能である。
【００２６】
操作ハンドル６は，ベース２に枢動可能に配置され，開放位置とロック位置との間で移動可能である。本実施態様によれば，操作ハンドル６は前記第１ピン７，上ハンドル部材８，第１の１対の間隔平行サイド部材９，及び前記ハンドル部材８から下方向に突出している第２の１対の間隔平行サイド部材１０とを備えている。本実施態様によれば，各サイド部材９，１０はプレートの形態である。操作ハンドル６のそれぞれの側の第１及び第２部材９，１０は選択的に一体的であり，したがって，前記ハンドル部材８から各側に下方向に突出している単一のサイド部材（例えば，プレート）を形成していてもよい。
【００２７】
本実施態様によれば，第１ピン７は横方向に前記第１の１対の間隔平行サイド部材９（本実施態様においては側板の形態）をブリッジしている。
【００２８】
本実施態様によれば，第１ピン７は前記第１軸Ｃを中心として移動可能（回転可能）なように配置されている。
【００２９】
その軸を中心として移動可能なピンについて，このようなピンも移動可能中空スリーブ内に配置された固定クロスバーにより設けられてもよい。本明細書で使用される用語「ピン」はこの種の構成も含む。
【００３０】
第１ピン７は，ストラップ担持表面を提供し，アジャスター装置１においてストラップガイドとして機能する。
【００３１】
第１ピン７は，いずれかの好適な耐磨耗材料から形成してもよい。例えば，この材料はプラスチック材料，例えば，ガラス繊維強化ポリプロピレン又は金属材料，例えば，ステンレススチールでよい。第１ピンの外表面は，ストラップが表面をスムーズに移行するように一般的に滑らかである。
【００３２】
操作ハンドルの他の部品（すなわち，上ハンドル部材８，第１の１対の間隔平行サイド部材９及び第２の１対の間隔平行サイド部材１０）は，いずれかの好適な耐磨耗材料から形成されてもよい。例えば，この材料はプラスチック材料，例えば，ガラス繊維強化ポリプロピレン又は金属材料，例えば，ステンレススチールでよい。
【００３３】
装置１は，前記ピボット軸Ｄに平行である第２軸Ｅ（図２ａ参照）に沿って延びている第２ピン１１を備えており，前記第２ピン１１は前記スロット４に係合し，かつ，その中で摺動可能に移動できる。
【００３４】
本実施態様によれば，第２ピン１１は，横方向に底枠３から上方向に突出する前記１対の離間した平行な側板５をブリッジしており，第２ピン１１の各端が各スロット４の一つに係合し，その中で第１端位置と第２端位置との間で摺動可能に移動できるように縦方向に細長いスロット４を通っている。
【００３５】
本実施態様によれば，第２ピン１１は前記第２軸Ｅを中心として移動可能（回転可能）である。
【００３６】
また，第２ピン１１によりストラップ担持表面が提供され，アジャスター装置１におけるストラップガイドとして機能する。
【００３７】
第２ピン１１は，いずれかの好適な耐磨耗材料から形成してよい。例えば，この材料は，プラスチック材料，例えば，ガラス繊維強化ポリプロピレン又は金属材料，例えば，ステンレススチールでよい。第２ピンの外表面は，ストラップが表面を容易にスムーズに移行するために一般的に滑らかである。
【００３８】
図示のように，スロット４は，前記第１平面Ａに実質的に鉛直である方向に縦方向に細長でよい。図示のように，スロット（単一又は複数）は，縦方向の延びにそって均一でよい。しかしながら，第２ピン１１はスロット（単一又は複数）４において下第１端位置（底枠近く）と上第２端位置（操作ハンドル近く）との間で摺動して移動可能である限り，スロット（単一又は複数）４は，他の形態（例えば，湾曲「バナナ」形状）を有するものでもよい。
【００３９】
本明細書で使用される用語「に対して実質的に鉛直な」とは，６０°〜９０°の範囲内の角度を含む。
【００４０】
本明細書で使用される用語「に対して実質的に垂直な」とは，９０°±２０°の角度（すなわち，７０°〜１１０°の範囲内の角度）を含む。
【００４１】
本明細書で使用される用語「に対して実質的に反対方向である」は，１８０°±２０°の角度（すなわち，１６０°〜２００°の範囲内の角度）を含む。
【００４２】
本発明によるアジャスター装置において，縦方向に細長いスロット（単一又は複数）４の縦方向中心線は，前記第１平面Ａに対して２０°〜９０°の範囲内の角度（この角度は本明細書ではスロット角と称される）をなすことができる。特に，縦方向に細長いスロット（単一又は複数）４の縦方向中心線は，前記平面Ａに対して２０°〜８０°，例えば，３０°〜８０°又は４０°〜８０°の範囲内のスロット角をなすことができる。縦方向に細長いスロット（単一又は複数）４が前記平面Ａに対して実質的に鉛直な方向に延びる実施態様において，縦方向に細長いスロット（単一又は複数）４の縦方向中心線は，前記第１平面Ａに対して６０°〜９０°の範囲内の角度をなす。
【００４３】
前記縦方向に細長いスロット４が縦方向細長に沿って不均一（例えば，「バナナ形状」）である場合，スロット角はスロットの第１端位置にあるときの第２軸の位置とスロットの第２端位置にあるときの第２軸の位置との間に交差線を引き，次に前記線と第１平面Ａとの間の角度を求めることにより画定される。
【００４４】
特に，前記第１軸Ｃ及び前記第２軸Ｅは平行であり，第２平面Ｂを画定する。
【００４５】
特に，装置１は，操作ハンドル６がその開放位置（図１ａ参照）にあるとき，第２平面Ｂ（前記第１軸と前記第２軸により画定される）は第１平面Ａに対してα≧３０°，例えば，３０°〜９０°，４５°〜９０°又は６０°〜９０°の角度（この角度は本明細書では開放位置角度αと称する）をなし，ストラップ１２がどちらの方向にも自由に移動することを可能とし，操作ハンドル６がそのロック位置（図１ｂ参照）にあるとき，第２平面Ｂは第１平面Ａに対して角度β＜３０°，特に＜２０°（例えば，５〜２０°の範囲，例えば，５°〜１５°又は５°〜１０°の範囲）（この角度は本明細書ではロック位置角度βと称する）をなし，自由第１ストラップ端１２ａを第１方向Ｘ１に引っ張る（本明細書では前方方向と称する）ことによりストラップ１２をさらにロックしながら接触させたストラップ１２ｃの部分により第２ピン１１がスロットの第１端位置に強く押しつけられ（すなわち，第２ピン１１は下方向に強く押し付けられる），一方，第２ストラップ端１２ｂの張力の増加によりストラップ１２の前記部分の間の摩擦から少なくとも部分的に拘束作用が生じる。前記摩擦は，第２平面Ｂと第１平面Ａとの間の角度βが減少するとともに増加する。また，拘束作用は，ストラップ１２と底枠３との間の摩擦によっても生じる。第２ピン１１がスロット４の第１端位置に強く押し付けられると，ストラップ１２は底枠３の方向に強く押し付けられる。
【００４６】
したがって，操作ハンドル６が開いた開放位置にあるとき，ストラップ１２は容易に引っ張られることができ，アジャスター１を介して両方向に自由に移動する。操作ハンドル６が閉じたロック位置にあるとき，ストラップ１２を１方向にのみ（図１ｂに示す方向Ｘ１）に引っ張ることにより依然ストラップ１２が容易にロックされる状態で，ストラップ１２をしっかりとロックする（意図しない滑りの恐れなく）。
【００４７】
開放位置角度αとロック位置角度βの各々は，図示されているように，平面Ａと自由ストラップ端１２ａと対向している平面Ｂとの間の角度として定義される。
【００４８】
また，スロット角は自由ストラップ端１２ａと対向している角度として定義される。
【００４９】
また，第１軸Ｃ，ピボット軸Ｄ及び第２軸Ｅは全て別個の軸である。
【００５０】
さらに，第１ピン７は操作ハンドル６の一部分であるので，第１ピン７の位置は，操作ハンドル６がロック位置と開放位置（及び開放位置とロック位置）との間で移動すると変化する。操作ハンドル６がその開放位置にあるとき，第１ピン７は第２ピン１１のほとんど真っ直ぐ上に位置する。さらに，操作ハンドル６がそのロック位置にあるとき，第１ピンは第２ピン１１の前方に位置する。さらに，第２ピン１１は底枠の方向に下方に強く押し付けられ，それにより操作ハンドル６がそのロック位置に移動するとき，接触させたストラップ１２ｃの部分によって第２ピン１１の各端は各スロット４の下第１端位置に強制的に押し付けられる。操作ハンドル６が開放位置にあるとき，第２ピン１１は，スロット４において，その上第２端位置と下端位置との間で摺動可能に移動できる（操作ハンドル６がその開放位置にあるとき，第２ピン１１の位置は，第１ストラップ端１２ａに作用するその力と方向に依存する）。
【００５１】
特定の実施態様によれば，開放位置角度αは，スロット角以上でよい。
【００５２】
より特定の実施態様によれば，開放位置角度αは，スロット角より大きくてもよい。例えば，スロット角は２０°〜８０°（例えば，３０°〜８０°）の範囲内でよく，開放位置角度αは３０°〜９０°（例えば，４５°〜９０°）の範囲内でよいが，但し，開放位置角度αはスロット角よりも大きい。
【００５３】
したがって，本発明による装置１の特定の実施態様によれば，操作ハンドル６がその開放位置にあるときに第２平面Ｂと第１平面Ａとの間の角度αは，縦方向に細長いスロット４の縦方向中心線と第１平面Ａとの間の角度（すなわち，スロット角）より大きいのが有利なことがある。この配置により，ストラップ１２は，操作ハンドル６がその開放位置にあるときに，とりわけストラップの種々の部分の間の接触が回避されるので，いずれの方向にも自由に移動できる。
【００５４】
図１ｂに示すように，ストラップ入口１３は，前記第２ピン１１と底枠３との間に画定され，ストラップ入口１３の外側にある自由第１ストラップ端１２ａを有するストラップ１２がストラップ入口１３を通り，次に第１ピン７の周囲，次に前記底枠３に隣接して配置されたストラップ出口１４ａを通って受容され，それにより子供用拘束ハーネス（図示せず）に接続できる第２ストラップ端１２ｂを提供できるようになっている。
【００５５】
この実施態様によれば，ストラップ１２は，第２ピン１１と底枠３との間の間隙において第２ピン１１の下に受容されることができる。ストラップは，経路に沿って交わることなく，ストラップ入口１３を通し，次に第１ピン周囲及び次にストラップ出口１４ａを通される。
【００５６】
図１ａ及び図１ｂに示す実施態様によれば，ストラップ出口１４ａが底枠３における開口により提供され，第２ストラップ端１２ｂが前記第１方向に実質的に垂直な第２方向（本明細書では下方向と称される）にそのストラップ出口１４ａを通過させることができる。
【００５７】
装置１の操作ハンドル６は，ピボット軸に沿って延びている追加ピン１５をさらに備えていてよい。追加ピン１５は，本明細書ではピボットピン１５と称される。図１ａ及び図１ｂに示す実施態様によれば，このピボットピン１５は操作ハンドル６の前記第２の１対の間隔平行サイド部材１０と前記底枠３から上方向に突出する前記１対の離間した平行な側板５とを横方向にブリッジし，それによりピボットピン１５は操作ハンドル６をベース２に接続し，ロック位置から開放位置（及び開放位置からロック位置）に移動したときにピボット軸Ｄを中心として前記操作ハンドル６が旋回する。本実施態様によれば，ピボット軸Ｄ（ここではピボットピン１５により表されている）は操作ハンドル６がそのロック位置にあるとき，第２ピン１１の後部に位置している。
【００５８】
本実施態様によれば，前記ピボットピン１５はピボット軸Ｄを中心としてロックされる。
【００５９】
ピボットピン１５はいずれかの好適な耐磨耗材料から形成したものでよい。例えば，この材料は，プラスチック材料，例えば，ガラス繊維強化ポリプロピレン又は金属材料，例えば，ステンレススチールでよい。
【００６０】
図２ａ及び図２ｂは，図１ａ及び図１ｂに示す装置の組み立てを示す。
【００６１】
したがって，本発明の上記に開示した実施態様によるアジャスター装置１は，
第１平面に延びている底枠３と，前記底枠３から上方向に突出する１対の離間した平行なサイド部材５であって，各サイド部材５が前記第１平面Ａに対して実質的に鉛直である方向に延びている縦方向に細長いスロット４を有しているものである離間した平行なサイド部材５とを有するベース２と；
第１軸Ｃに沿って延びている第１ピン７を備えている操作ハンドル６であって，前記平面Ａに平行なピボット軸Ｄを中心としてベース２に枢動可能に配置され，開放位置とロック位置との間で移動可能な操作ハンドル６と；
前記ピボット軸Ｄに平行である第２軸Ｅに沿って延びている第２ピン１１であって，前記スロット４に係合され，かつ，そのスロット４において第１端位置と第２端位置との間で摺動可能に移動できる第２ピン１１とを備えており，
前記第１軸Ｃ及び前記第２軸Ｅは平行であり，かつ，第２平面Ｂを画定しており；
ストラップ入口１３は前記第２ピン１１と底枠３との間に画定され，ストラップ入口１３の外側にある自由第１ストラップ端１２ａを有するストラップ１２はストラップ入口１３を通り，次に第１ピン７周囲，次に前記底枠３に隣接して配置されているストラップ出口１４を通って受容されることができ，それにより子供拘束ハーネス（図示してない）に接続可能な第２ストラップ端１２ｂが提供され；そして
装置１は，（i）操作ハンドル６がその開放位置にあるとき，第２平面Ｂが第１平面Ａに対して３０°以上の角度αをなし，第２ピン１１が前記スロット４において第１端位置と第２端位置との間で自由に移動可能なようになっていて，ストラップ１２がいずれの方向にも自由に移動できるようになっており，（ii）操作ハンドル６がそのロック位置にあるとき，第２平面Ｂが第１平面Ａに対して３０°未満の角度βをなし，自由第１ストラップ端１２ａを第１方向に引っ張ることによりストラップ１２をさらにロックさせながら接触したストラップ１２ｃの部分により第２ピン１１が前記第１端位置に強く押し付けられ，一方，第２ストラップ端１２ｂの張力の増加により，ストラップ１２の前記部分の間の摩擦から少なくとも部分的に拘束作用が生じるように構成されている。
【００６２】
特に，操作ハンドル６がその開放位置にあるとき，第２平面Ｂと第１平面Ａとの間の角度αは，各縦方向に細長いスロット４の縦方向中心線と第１平面Ａとの間の角度（すなわち，スロット角）よりも大きくてよい。
【００６３】
装置１は，付勢手段，例えば，操作ハンドルをベース２の方向，特に底枠３の方向に付勢するための少なくとも一つの引張ばねをさらに備えていてもよい。上記で開示した実施態様において，付勢手段は，図２ａ（及び図２ｂ）に示すように操作ハンドル６及びベース２に連結された引張ばね１６を備えている。前記ばね１６の代わりに，他の弾性部材を使用してもよい。
【００６４】
図３に示すさらなる実施態様によれば，第１ストラップ出口１４ａは底枠３における開口により提供され，第２ストラップ端１２ｂは前記第１方向Ｘ１に実質的に垂直な第２方向Ｙ（ここでは下方向と称される）にそのストラップ出口１４ａを通過することができる。さらに，第２ストラップ出口１４ｂはピボットピン１５と底枠３との間に画定され，第２ストラップ端１２ｂは前記第１方向Ｘ１と実質的に反対方向である第３方向Ｘ２（ここでは逆方向と称される）にその第２ストラップ出口１４ｂを通過することができる。この実施態様によれば，ピボットピン１５は底枠に隣接して配置される。次にピボットピン１５は，アジャスター装置１においてストラップガイドとしても機能する。したがって，ピボットピン１５の外表面は，本実施態様において，一般的にストラップ１２が表面上を容易にスムーズに移行できるように滑らかである。ピボットピン１５は固着ピンでもよいし，又は移動可能中空スリーブ内に配置された固着クロスバーを備えていてもよい。ピボットピン１５は，後者の場合において，ピボット軸を中心として移動でき，ストラップ１２がさらにスムーズに移行できる。
【００６５】
図４に示す別の実施態様によれば，装置１は，代わりに，前記ピボット軸Ｄに平行な第３軸（図示せず）に沿って延びているさらなる追加ピン１７（ここでは第３ピン１７と称される）を備えている。本実施態様によれば，第３ピン１７は，底枠３に隣接して配置されている。第１ストラップ出口１４ａは底枠３における開口により提供され，第２ストラップ端１２ｂは前記第１方向Ｘ１に実質的に垂直である第２方向Ｙ（ここでは下方向と称される）にそのストラップ出口１４ａを通過することができる。さらに，第２ストラップ出口１４ｂは第３ピン１７と底枠３との間に画定され，第２ストラップ端１２ｂは前記第１方向Ｘ１に対して実質的に反対方向の第３方向Ｘ２（ここでは逆方向と称される）にそのストラップ出口１４ｂを通過することができる。本実施態様による装置は，４個のピン，すなわち，第１ピン７，第２ピン１１，第３ピン１７及びピボットピン１５を備えている。
【００６６】
本明細書で使用される，第１方向と「実質的に反対」である第２方向は，前記第１方向に対して１８０°±２０の角度を有する。
【００６７】
本実施態様によれば，第３ピン１７は，前記第３軸を中心として移動可能（回転可能）である。
【００６８】
また，第３ピン１７は，アジャスター装置１においてストラップガイドとして機能する。
【００６９】
第３ピン１７は，いずれかの好適な耐磨耗材料から形成したものでよい。例えば，この材料は，プラスチック材料，例えば，ガラス繊維強化ポリプロピレン，又は金属材料，例えば，ステンレススチールでよい。
【００７０】
第３ピン１７の外表面は，ストラップが表面上を容易にスムーズに移行できるように一般的に滑らかである。
【００７１】
第３軸は，第１軸Ｃ，ピボット軸Ｄ及び第２軸Ｅから離れている。
【００７２】
図３及び図４に示すアジャスター装置１は，導入部において開示した両方のチャイルドシート構成に使用することができる。すなわち，ストラップアジャスター装置１を使用して，第４ストラップ（チャイルドシートの座席部に形成されたスロットを通ってシート後部の裏面に延びている）をロック／弛緩すること，又は第３ストラップ（ショルダーストラップも開放可能に連結されているバックルに取り付けられている）をロック／弛緩してもよい。特に，ストラップアジャスター装置１は前者の構成に使用するのに好適である。後者の構成は最近めったに使用されることはない。
【００７３】
しかしながら，本発明は，底枠３に開口がない図３及び図４に示す種類の装置（すなわち，前記第１ストラップ出口１４ａを欠いているアジャスター装置）を含む。
【００７４】
図５に示すさらに別の実施態様によれば，装置１はガイド部材１７’を備えている。このガイド部材は，ベース２と一体に形成されていてもよい。ガイド部材１７’は，底枠３に隣接して配置されている。この特定の実施態様によれば，ガイド部材は，底枠の平面的な延びに平行な平面に延びているプレートを備えている。第１ストラップ出口１４ａは底枠３における開口により提供され，第２ストラップ端１２ｂは前記第１方向Ｘ１に対して実質的に垂直である第２方向Ｙ（ここでは下方向と称される）にそのストラップ出口１４ａを通過することができることができる。さらに，第２ストラップ出口１４ｂはガイド部材１７’のプレートと底枠３との間に画定され，第２ストラップ端１２ｂは前記第１方向Ｘ１に対して実質的に反対方向である第３方向Ｘ２（ここでは逆方向と称される）にストラップ出口１４ｂを通過できる。
【００７５】
図１〜図５に示す実施態様によれば，第１ピン７は前記第１軸を中心として移動可能である。
【００７６】
図６に示すアジャスター装置１のさらなる実施態様によれば，第１ピン７は，前記第１軸を中心としてロックされる。特に，第１ピン７は，操作ハンドル６と一体である。さらに，第１の１対のサイド部材９と第２の１対のサイド部材１０も，操作ハンドルと一体である。したがって，上ハンドル部材８，サイド部材９，１０及び第１ピン７を備える操作ハンドル６は，ワンピース射出成形プラスチック材料，例えば，ガラス繊維強化ポリプロピレン，又はワンピース成形金属材料，例えば，ステンレススチールから形成されたものでよい。ウェブ型ストラップ１２に対向する上ハンドル部材８の部分は，ストラップアジャスターがそのロック位置にあるときにさらに安全にストラップをロックするために，テクスチャード加工表面，例えば，リブを備えていてもよい。ピボットピン１５は，ピボット軸を中心として固着してよい。第２ピン１１は，縦方向に細長いスロット４に係合されており，そのスロット４において端位置間で摺動可能に移動できる。また，第２ピン１１は，その軸を中心として移動可能（回転可能）である。図６に示す実施態様によれば，ストラップ出口は，操作ハンドル６の部分と底枠３との間で画定され，第２ストラップ端は第１方向Ｘ１に対して実質的に反対方向である逆方向Ｘ２にそのストラップ出口を通過できる。また，さらなるストラップ出口が，底枠３における開口により提供され，第２ストラップ端が代わりに図５に示したのと同様な方法で第１方向Ｘ１に実質的に垂直である下方向Ｙへ通過できるようにしてもよい。図７は，本発明によれば，一体的に互いに接続された座席部１９と後部２０とを有するクッション付座席シェルと，前記座席シェルに子供を拘束し，ロックするためのウェブ型ストラップ２２，２３，２４を備えている調整可能子供用拘束ハーネス２１であって，前記座席シェルに取り付けられた拘束ハーネス２１と，前記子供用拘束ハーネス２１に接続可能なウェブ型ストラップ１２の長さとロックを調整するためのアジャスター装置１とを備え，それにより前記アジャスター装置１を操作することで前記ハーネス２１の弛緩又はロックができるようになっている，チャイルドシート１８であって，前記アジャスター装置１は本発明のアジャスター装置である，チャイルドシート１８を示す。
【００７７】
図７に示す構成において，子供用拘束ハーネス２１は第１ウェブ型ストラップ２２と，第２ウェブ型ストラップ２３と，第３ウェブ型ストラップ２４を備えていて，拘束ハーネス２１が子供を座席シェルにロックするのに適切に使用されるときにこれらのストラップで「Ｙ」形状が形成される。第１ストラップ２２と第２ストラップ２３とが使用時には子供の肩上に配置され，第３ストラップ２４は子供の脚の間に配置される。当業者に知られている方法において，第１ストラップ２２と第２ストラップ２３は，第３ストラップ２４も取り付けられているバックル２５に開放可能に接続される。第３ストラップ２４の他端は，図６に示す実施態様では，座席部１９に固着される。第１ストラップ２２と第２ストラップ２３は，各々，座席シェルの後部２０に設けられたそれぞれのスロット２６を通過し，後部２０の裏面で，ブラケット２７に留められる。第１ストラップ２２と第２ストラップ２３の他端は，両方とも座席部１９に固着される。
【００７８】
第３ストラップ２４は，座席部１９に固着される（図７のように）代わりに，アジャスター装置１に取り付けてもよい。しかしながら，この構成は，最近はめったに使用されていない。
【００７９】
図７に示す構成において，第４ウェブ型ストラップ１２は，シートの後部２０の裏面の前記ブラケット２７に取り付けられる。この第４ストラップ１２は，座席部１９に形成されたスロット２８を通って前方に延びるように配置される。このストラップ１２のロック又は弛緩を可能とするために，ストラップ１２はアジャスター装置１を通って延びている。ストラップアジャスター１の操作により第４ストラップ１２を弛緩又はロックすることにより，ハーネス２１の弛緩又はロック，より具体的には第１ストラップ２２及び第２ストラップ２３（ショルダーストラップ）の弛緩又はロックがなされる。
【００８０】
別の実施態様（図示せず）によれば，第３ストラップ２４は座席シェルの座席部１９における開口を介して引っ張られ，座席部１９の下を通されてアジャスター装置１に到達してもよい。第３ストラップ２４は，次にアジャスター装置１を通り，第３ストラップ２４をロックするために引っ張られることができるように自由ストラップ端をそのまま残してもよい。第３ストラップ２４がロックされると，バックル２５は下方向に引っ張られ，その結果，第１ストラップ２２と第２ストラップ２３がロックされる。しかしながら，この構成は最近ではめったに使用されてない。
【００８１】
本発明を詳細，かつ，その具体的実施態様を参照して説明したが，当業者には，種々の変更及び修正を本発明の精神及び範囲から逸脱することなく行うことができる。
【図１ａ】
0006310478.tif 000002
【図１ｂ】
0006310478.tif 000003
【図２ａ】
0006310478.tif 000004
【図２ｂ】
0006310478.tif 000005
【図３】
0006310478.tif 000006
【図４】
0006310478.tif 000007
【図５】
0006310478.tif 000008
【図６】
0006310478.tif 000009
【図７】
0006310478.tif 000010